(57)【要約】【課題】身体の窪みへのフィット性により優れ、且つ装用感を向上させた吸収性物品を提供する。【解決手段】細長形状の吸収性物品であって、本体に、表面シート側から裏面シート側に窪む圧搾溝が形成されており、圧搾溝は、本体の前後方向に延びる中心線を対称軸として線対称に、幅方向内側に凹状に湾曲して前後方向に延びる一対の第１圧搾溝と、一対の第１圧搾溝の内側に、中心線を対称軸として線対称に、前後方向に延びる一対の仮想曲線上に形成された一対の第２圧搾溝とを有し、第２圧搾溝はそれぞれ、前部分と後部分とを有し、中心線と直交し且つ一対の第１圧搾溝間の距離が最小となる位置を通る第１仮想線から前方及び後方にそれぞれ離れ且つ第１仮想線に平行な線をそれぞれ、第２仮想線及び第３仮想線とした場合、第２仮想線と前記第３仮想線との距離が２０〜８０ｍｍであり、前部分の後端及び後部分の前端は、それぞれ第２仮想線及び第３仮想線で終端している。【選択図】図１
2018143723.tif 000002
【特許請求の範囲】
【請求項１】
透液性の表面シートと、不透液性の裏面シートと、前記表面シートと前記裏面シートとの間に設けられた吸収体とを有する本体を備えた吸収性物品であって、
前記本体は、前後方向に所定の長さ及び当該前後方向と直交する方向に所定の幅を有する細長形状であり、
前記本体には、前記表面シート側から前記裏面シート側に窪む圧搾溝が形成されており、
前記圧搾溝は、
前記本体の前後方向に延びる中心線を対称軸として線対称に、幅方向内側に凹状に湾曲して前後方向に延びる一対の第１圧搾溝と、
前記一対の第１圧搾溝の内側に、前記中心線を対称軸として線対称に、前後方向に延びる一対の仮想曲線上に形成された一対の第２圧搾溝とを有し、
前記第２圧搾溝はそれぞれ、前部分と後部分とを有し、
前記中心線と直交し且つ前記一対の第１圧搾溝間の距離が最小となる位置を通る第１仮想線から前方及び後方にそれぞれ離れ且つ前記第１仮想線に平行な線をそれぞれ、第２仮想線及び第３仮想線とした場合、
前記第２仮想線と前記第３仮想線との距離が２０〜８０ｍｍであり、
前記前部分の後端及び前記後部分の前端は、それぞれ前記第２仮想線及び前記第３仮想線で終端している、吸収性物品。
【請求項２】
透液性の表面シートと、不透液性の裏面シートと、前記表面シートと前記裏面シートとの間に設けられた吸収体とを有する本体を備えた吸収性物品であって、
前記本体は、前後方向に所定の長さ及び当該前後方向と直交する方向に所定の幅を有する細長形状であり、
前記本体には、前記表面シート側から前記裏面シート側に窪む圧搾溝が形成されており、
前記圧搾溝は、
前記本体の前後方向に延びる中心線を対称軸として線対称に、幅方向内側に凹状に湾曲して前後方向に延びる一対の第１圧搾溝と、
前記一対の第１圧搾溝の内側に、前記中心線を対称軸として線対称に、前後方向に延びる一対の仮想曲線上に形成された部分を含む一対の第２圧搾溝とを有し、
前記第２圧搾溝はそれぞれ、前部分と後部分とを有し、
前記中心線と直交し且つ前記一対の第１圧搾溝間の距離が最小となる位置を通る第１仮想線から前方及び後方にそれぞれ離れ且つ前記第１仮想線に平行な線をそれぞれ、第２仮想線及び第３仮想線とした場合、
前記第２仮想線と前記第３仮想線との距離が２０〜８０ｍｍであり、
前記前部分及び前記後部分はそれぞれ、前記仮想曲線と前記第２仮想線との交点、及び前記仮想曲線と前記第３仮想線との交点上で変曲し、
前記前部分の前記第２仮想線を後方に越えた部分、及び前記後部分の前記第３仮想線を前方に越えた部分はそれぞれ、前記前部分の変曲点及び前記後部分の変曲点から、幅方向外側に湾曲して、前記第１圧搾溝における前記第１圧搾溝間の距離が最小となる前記位置に向かって延伸している、吸収性物品。
【請求項３】
前記前部分の後端と前記後部分の前端とが、前記第１圧搾溝間の距離が最小となる前記位置において前記第１圧搾溝に連結している、請求項２に記載の吸収性物品。
【請求項４】
前記第１仮想線と前記第２仮想線との距離と、前記第１仮想線と前記第３仮想線との距離との比が１：３〜３：１である、請求項１から３のいずれか一項に記載の吸収性物品。
【請求項５】
前記第１圧搾溝と前記第２圧搾溝との幅方向の距離が２〜１５ｍｍである、請求項１から４のいずれか一項に記載の吸収性物品。
【請求項６】
前記本体の前方及び後方にそれぞれ、幅方向に延びる前方圧搾溝及び後方圧搾溝が形成されており、
前記第１圧搾溝の前端及び後端が、それぞれ前記前方圧搾溝及び前記後方圧搾溝に連結されて、環状の溝が形成されている、請求項１から５のいずれか一項に記載の吸収性物品。
【請求項７】
前記本体の前方及び後方にそれぞれ、幅方向に延びる前方圧搾溝及び後方圧搾溝が形成されており、
前記第２圧搾溝の前端及び後端が、それぞれ前記前方圧搾溝及び前記後方圧搾溝に連結されている、請求項１から５のいずれか一項に記載の吸収性物品。
【発明の詳細な説明】
【技術分野】
【０００１】
本発明は、吸収性物品に関する。
【背景技術】
【０００２】
従来、パンティライナー、生理用ナプキン、失禁パッド等の吸収性物品として、透液性の表面シートとの不透液性の裏面シートとの間に吸収体が設けられたものが知られている。
【０００３】
このような吸収性物品においては、体液をより確実に捕捉するために、吸収性物品の装着中に両脚から受ける圧縮力を利用して吸収体の中央部を肌方向に盛り上げて、体液排出部や臀部へ密着させるように構成したものがある。その中には、長手方向に延びる一対の溝を二重に形成して、吸収体の中央部を幅方向に段階的に盛り上げたものがある。
【０００４】
例えば、特許文献１には、中心線から左右両側に離れた位置に、第１の可撓軸と、その外側の第２の可撓軸とがそれぞれ縦方向に延びて形成され、左右の第１の可撓軸の間に中央吸収部が形成され、第１の可撓軸及び第２の可撓軸を介して、それぞれその両側が折り曲げ可能とされているものが開示されている。
【０００５】
また、特許文献２には、排泄部領域の両側部に、幅方向外方に凸状に湾曲する一対の内側溝が形成され、一対の内側溝それぞれの幅方向外側に、幅方向外方に凸状に湾曲する一対の外側溝が形成されており、外側溝の長手方向の長さが、内側溝の長手方向の長さよりも長く、内側溝の凸状の頂部が、外側溝の長手方向の長さの範囲内に配されているものが開示されている。
【先行技術文献】
【特許文献】
【０００６】
【特許文献１】特許第４１８０８６５号公報
【特許文献２】特許第５２９２０８３号公報
【発明の概要】
【発明が解決しようとする課題】
【０００７】
しかしながら、特許文献１、２の吸収性物品では、体液排出口に対応する領域とその長手方向に広がる領域とで、吸収体が同様の高さで盛り上がる。そのため、吸収体を最も密着させたい体液排出口等の身体の窪みの前後で隙間ができ、漏れが生じる可能性がある。
【０００８】
また、溝が二重に形成されている部分では吸収体の柔軟性が低下する傾向があるが、特許文献１、２の吸収性物品では、このような二重の溝が、体液排出口に対応する領域に近接して形成されている。そのため、吸収体の柔軟性が低下した部分が、デリケートな体液排出口の近傍に当りやすく、違和感の原因となることがある。
【０００９】
上記の点に鑑みて、本発明は、身体の窪みへのフィット性により優れ、且つ装用感を向上させた吸収性物品を提供することを課題とする。
【課題を解決するための手段】
【００１０】
上記課題を解決するため、本発明の第１の形態は、透液性の表面シートと、不透液性の裏面シートと、前記表面シートと前記裏面シートとの間に設けられた吸収体とを有する本体を備えた吸収性物品であって、前記本体は、前後方向に所定の長さ及び当該前後方向と直交する方向に所定の幅を有する細長形状であり、前記本体には、前記表面シート側から前記裏面シート側に窪む圧搾溝が形成されており、前記圧搾溝は、前記本体の前後方向に延びる中心線を対称軸として線対称に、幅方向内側に凹状に湾曲して前後方向に延びる一対の第１圧搾溝と、前記一対の第１圧搾溝の内側に、前記中心線を対称軸として線対称に、前後方向に延びる一対の仮想曲線上に形成された一対の第２圧搾溝とを有し、前記第２圧搾溝はそれぞれ、前部分と後部分とを有し、前記中心線と直交し且つ前記一対の第１圧搾溝間の距離が最小となる位置を通る第１仮想線から前方及び後方にそれぞれ離れ且つ前記第１仮想線に平行な線をそれぞれ、第２仮想線及び第３仮想線とした場合、前記第２仮想線と前記第３仮想線との距離が２０〜８０ｍｍであり、前記前部分の後端及び前記後部分の前端は、それぞれ前記第２仮想線及び前記第３仮想線で終端している。
【００１１】
上記第１の形態によれば、一対の第１圧搾溝（外側の圧搾溝）の内側において、第１圧搾溝間の距離が最小となる位置の前後で所定の範囲にわたり、第２圧搾溝（内側の圧搾溝）がない領域が形成される。そのため、吸収体が両脚から圧縮力を受けたとき、第２圧搾溝がない領域での吸収体が盛り上がる高さを、その前後の領域と比較して高くすることができる。これにより、身体の窪みに、吸収体若しくは本体をより密に密着させることが可能となり、体液の捕捉をより確実にすることができる。
【００１２】
また、身体の窪みに対応する領域の近傍において圧搾溝が密集していないため、吸収体の柔軟性の低下を回避できる。そのため、吸収体の柔軟性が低下した部分が、デリケートな身体の窪み付近の皮膚に当たって生じる違和感を防ぐことができ、装用感を向上させることができる。
【００１３】
本発明の第２の形態は、透液性の表面シートと、不透液性の裏面シートと、前記表面シートと前記裏面シートとの間に設けられた吸収体とを有する本体を備えた吸収性物品であって、前記本体は、前後方向に所定の長さ及び当該前後方向と直交する方向に所定の幅を有する細長形状であり、前記本体には、前記表面シート側から前記裏面シート側に窪む圧搾溝が形成されており、前記圧搾溝は、前記本体の前後方向に延びる中心線を対称軸として線対称に、幅方向内側に凹状に湾曲して前後方向に延びる一対の第１圧搾溝と、前記一対の第１圧搾溝の内側に、前記中心線を対称軸として線対称に、前後方向に延びる一対の仮想曲線上に形成された部分を含む一対の第２圧搾溝とを有し、前記第２圧搾溝はそれぞれ、前部分と後部分とを有し、前記中心線と直交し且つ前記一対の第１圧搾溝間の距離が最小となる位置を通る第１仮想線から前方及び後方にそれぞれ離れ且つ前記第１仮想線に平行な線をそれぞれ、第２仮想線及び第３仮想線とした場合、前記第２仮想線と前記第３仮想線との距離が２０〜８０ｍｍであり、前記前部分及び前記後部分はそれぞれ、前記仮想曲線と前記第２仮想線との交点、及び前記仮想曲線と前記第３仮想線との交点上で変曲し、前記前部分の前記第２仮想線を後方に越えた部分、及び前記後部分の前記第３仮想線を前方に越えた部分はそれぞれ、前記前部分の変曲点及び前記後部分の変曲点から、幅方向外側に湾曲して、前記第１圧搾溝における前記第１圧搾溝間の距離が最小となる前記位置に向かって延伸している。
【００１４】
上記第２の形態によれば、一対の第１圧搾溝の内側において、第１圧搾溝間の距離が最小となる位置の前後で所定の範囲にわたり、第２圧搾溝間の距離が拡大した領域が形成される。そのため、吸収体が両脚から圧縮力を受けたとき、第２圧搾溝がない領域での吸収体が盛り上がる高さを、その前後の領域と比較して高くすることができる。これにより、身体の窪みに吸収体をより密に密着させることが可能となり、体液の捕捉をより確実にすることができる。また、第２圧搾溝が、その変曲点から幅方向外側に湾曲した部分があることで、本体側部での剛性が高まり、より確実に吸収体を盛り上げることができる。
【００１５】
さらに、体液排出口に対応する領域の近傍において圧搾溝が密集していないため、吸収体の柔軟性の低下を回避できる。そのため、吸収体の柔軟性が低下した部分が、デリケートな身体の窪み付近の皮膚に当たって生じる違和感を防ぐことができ、装用感を向上させることができる。
【００１６】
本発明の第３の形態では、前記前部分の後端と前記後部分の前端とが、前記第１圧搾溝間の距離が最小となる前記位置において前記第１圧搾溝に連結している。
【００１７】
上記第３の形態によれば、本体側部での剛性を高めることができ、吸収体をより確実に盛り上げることができる。
【００１８】
本発明の第４の形態では、前記第１仮想線と前記第２仮想線との距離と、前記第１仮想線と前記第３仮想線との距離との比が１：３〜３：１である。
【００１９】
上記第４の形態によれば、第１圧搾溝間の幅方向の距離が最小となる位置、すなわち両脚の圧縮力を受けやすい位置の前後で、バランス良く吸収体を盛り上げることができる。
【００２０】
本発明の第５の形態では、前記第１圧搾溝と前記第２圧搾溝との幅方向の距離が２〜１５ｍｍである。
【００２１】
上記第５の形態によれば、第１圧搾溝と第２圧搾溝との間で所定の距離を保つことによって、吸収体の柔軟性の低下を防ぐ。そのため、柔軟性が低下した吸収体が肌に当って違和感が生じることを防止することができる。
【００２２】
本発明の第６の形態では、前記本体の前方及び後方にそれぞれ、幅方向に延びる前方圧搾溝及び後方圧搾溝が形成されており、前記第１圧搾溝の前端及び後端が、それぞれ前記前方圧搾溝及び前記後方圧搾溝に連結されて、環状の溝が形成されている。
【００２３】
上記第６の形態によれば、前方及び後方に、第１圧搾溝に連結する圧搾溝が設けられ、外側の溝が環状となっているので、吸収性物品の側方のみならず、全周にわたって漏れを良好に防ぐことができる。
【００２４】
本発明の第７の形態では、前記本体の前方及び後方にそれぞれ、幅方向に延びる前方圧搾溝及び後方圧搾溝が形成されており、前記第２圧搾溝の前端及び後端が、それぞれ前記前方圧搾溝及び前記後方圧搾溝に連結されている。
【００２５】
上記第７の形態によれば、前方及び後方に、第２圧搾溝に連結する圧搾溝が設けられていることで、前後方向での漏れを良好に防ぐことができる。
【発明の効果】
【００２６】
本発明の一形態によれば、身体の窪みへのフィット性により優れ、且つ装用感を向上させた吸収性物品を提供することができる。
【図面の簡単な説明】
【００２７】
【図１】本発明の一形態による吸収性物品の一部破断図である。
【図２Ａ】本発明の一形態による吸収性物品のＩ−Ｉ線断面図である。
【図２Ｂ】本発明の一形態による吸収性物品の使用時のＩ−Ｉ線断面図である。
【図３Ａ】本発明の一形態による吸収性物品のＩＩ−ＩＩ線断面図である。
【図３Ｂ】本発明の一形態による吸収性物品の使用時のＩＩ−ＩＩ線断面図である。
【図４】本発明の一形態による吸収性物品の使用時の中心線ＣＬ断面図である。
【図５】本発明の別の形態による吸収性物品を示す図である。
【図６】本発明のさらに別の形態による吸収性物品を示す図である。
【図７】本発明のさらに別の形態による吸収性物品を示す図である。
【発明を実施するための形態】
【００２８】
以下、本発明の実施の形態について図面を参照しながら説明する。
【００２９】
吸収性物品１は、図１、図２Ａ及び図３Ａに示すように、不透液性の裏面シート２と、透液性の表面シート３と、これら両シート２、３間に設けられた吸収体４とを有する本体（吸収性物品本体）８とを備えている。吸収体４の形状保持等のために、吸収体４は、クレープ紙又は不織布等からなる被包シート５によって包まれていてもよい。
【００３０】
本体８は、図１に示すように、全体としては、前後方向に所定の長さを有する細長い形状であり、前後方向と直交する方向に略一定の幅を有している。そして、吸収性物品１は、前後方向に延びる中心線ＣＬに対し略線対称の形状になっている。また、吸収性物品１は、装着する際に体液排出口に対応させる領域３０を含む中央領域Ｍと、中央領域Ｍの前方にある前方端部領域Ｆと、中央領域Ｍの後方にある後方端部領域Ｒとを有する。中央領域Ｍは、その両側方から延びるウィングＷＧを有している。前方端部領域Ｆは、ウィングＷＧの前方の起点となる位置から前方の領域であり、後方端部領域Ｒは、ウィングＷＧの後方の起点となる位置から後方の領域とすることができる。
【００３１】
吸収体４の前方及び後方の端縁部では、裏面シート２の外縁と表面シート３の外縁とが、ホットメルト等の接着剤やヒートシール、超音波シール等の接着手段によって接合されている。また、表面シート側の両側部には、それぞれ前後方向（長手方向）に沿ってサイド不織布７が設けられている。サイド不織布７は、本体８の側方に部分的に突出し、同じく側方に突出する裏面シート２に積層され、ホットメルト等の接着剤やヒートシール、超音波シール等の接着手段によって接合されており、これにより、本体８の両側部にウィングＷＧが形成されている。
【００３２】
裏面シート２としては、ポリエチレンやポリプロピレン等のオレフィン系樹脂シート等の少なくとも遮水性を有するシート材を用いることができる。ポリエチレンシート等に不織布を積層したラミネート不織布や、さらには防水フィルムを介在させて実質的に不透液性を確保した不織布の積層シート等を用いることができる。また、ムレ防止の観点から透湿性を有するものが用いられることがさらに望ましい。このような遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートを用いることができる。
【００３３】
表面シート３は、経血、おりもの、尿等の体液を速やかに透過させる透液性のシートである。表面シート３としては、有孔又は無孔の不織布や多孔性プラスチックシート等が好適に用いられる。不織布を構成する素材繊維としては、例えば、ポリエチレン、ポリプロピレン等のオレフィン、ポリエステル、ポリアミド等の合成繊維、レーヨン、キュプラ等の再生繊維、及びこれらの混紡繊維、並びに綿等の天然繊維を単独で又は２種以上組み合わせて用いることができる。また、不織布の加工法としては、スパンレース法、スパンボンド法、サーマルボンド法、メルトブローン法、ニードルパンチ法等が挙げられる。これらの加工法の内、スパンレース法は柔軟性、スパンボンド法はドレープ性に富む不織布を製造できる点で好ましく、サーマルボンド法は嵩高でソフトな不織布を製造できる点で好ましい。また、融点の高い繊維を芯とし融点の低い繊維を鞘とした芯鞘型繊維、サイドバイサイド型繊維、分割型繊維などの複合繊維を用いることができる。
【００３４】
裏面シート２と表面シート３との間に介在される吸収体４は、体液を吸収して保持できる材料であれば限定されないが、綿状パルプと吸水性ポリマーとを含むことが好ましい。吸水性ポリマーとしては、高吸水ポリマー粒状粉（sｕｐｅｒａｂｓｏｒｂｅｎｔ  ｐｏｌｙｍｅｒ（ＳＡＰ））、高吸水ポリマー繊維（ｓｕｐｅｒａｂｓｏｒｂｅｎｔ  ｆｉｂｅｒ（ＳＡＦ））及びこれらの組合せを用いることができる。パルプとしては、木材から得られる化学パルプ、溶解パルプ等のセルロース繊維、レーヨン、アセテート等の人工セルロース繊維からなるものが挙げられる。化学パルプの原料材としては、広葉樹材、針葉樹材等が用いられるが、繊維長が長いこと等から針葉樹材が好適に使用される。
【００３５】
また、吸収体４には合成繊維を混合してもよい。合成繊維としては、ポリエチレン、ポリプロピレン等のポリオレフィン、ポリエチレンテレフタレート、ポリブチレンテレフタレート等のポリエステル、ナイロン等のポリアミド、及びこれらの共重合体を使用することができ、これらのうちの２種を混合して使用することもできる。また、融点の高い繊維を芯とし融点の低い繊維を鞘とした芯鞘型繊維、サイドバイサイド型繊維、分割型繊維などの複合繊維も用いることができる。なお、疎水性繊維を親水化剤で表面処理し、体液に対する親和性を付与したものを用いることもできる。
【００３６】
吸収体４の厚みは、０．５〜２５ｍｍの範囲内とすることができ、１．５〜６．５ｍｍの範囲であると好ましい。吸収体４は、前面にわたり均一な厚みを有していなくともよく、体液排出口対応領域３０等を膨出させた構造とすることもできる。また、吸収体４は、積繊又はエアレイド法によって製造されたものが好ましい。
【００３７】
サイド不織布７としては、撥水処理不織布又は親水処理不織布を使用することができる。例えば、経血やおりもの等が浸透するのを防止する効果又は肌触り感を高める場合は、シリコン系、パラフィン系、アルキルクロミッククロライド系撥水剤などをコーティングした撥水処理不織布を用いることが好ましい。また、ウィングＷＧにおける経血等の吸収性を高める場合には、不織布の材料として、親水処理された不織布を用いることが好ましい。不織布の種類としては、折り癖が付きにくく、シワに成りにくく柔らかいエアスルー不織布が好ましい。
【００３８】
ウィングＷＧの外縁には、サイド不織布７と裏面シート２との接合のため及び剛性を高める目的で、所定の箇所に、ドット状や所定の形状を有する圧搾部（エンボス）が設けられていてもよい。
【００３９】
吸収性物品１の全長は、１３０〜４５０ｍｍとすることができ、１４０〜３６０ｍｍであってよく、１７０〜２７０ｍｍとすることができる。
【００４０】
本形態の吸収性物品１は、複数の圧搾溝（圧縮溝、エンボスともいう）が設けられている。この圧搾溝は、表面シート３から裏面シート２側に窪む溝として形成されたものである。これにより、身体の形状に適合した変形を容易にしたり、表面又は内部での体液の移行をコントロールしたりすることができる。圧搾溝は、吸収体４の上に表面シート３を積層させた積層体を、一対の加圧ロールの間に通過させることによって形成することができる。例えば、積層体を、表面シート３側及び吸収体４側に、凸状のロール及び平坦なロールがそれぞれ配置されるようにして通過させることができる。
【００４１】
上記圧搾溝には、平面視で、本体８の、前後方向に延びる中心線ＣＬを対称軸として線対称に、幅方向内側に凹状に湾曲して前後方向に延びる一対の第１圧搾溝１１、１１が含まれる。図１の形態では、第１圧搾溝１１、１１は、中央領域Ｍにわたり、さらに中央領域Ｍを前後に越えた範囲で設けられている。第１圧搾溝１１、１１があることで、装着時に吸収性物品の側部が容易に折れ曲がり、第１圧搾溝１１、１１間の領域を盛り上げることができるので、身体へのフィット性を高めることができる。また、第１圧搾溝１１、１１は、幅方向内側に凹状に湾曲しているので、装着時に両脚（両腿）の丸みに沿って自然に吸収性物品１を変形させることができる。
【００４２】
なお、図示の形態における圧搾溝は、低圧搾部と、この低圧搾部と比較してより深く形成された高圧搾部とを有している。図面においては、圧搾溝のうち高圧搾溝を黒色で表示し、低圧搾溝を白色で表示している。
【００４３】
図１の形態では、一対の第１圧搾溝１１、１１が離間する幅方向の距離が最小になる位置の前後にわたる所定の範囲が、体液排出口対応領域３０に相当する。吸収性物品１を下着に装着する際には、下着のクロッチ部分のほぼ中央に、体液排出口対応領域３０が配置されるようにする。
【００４４】
本形態では、上記一対の第１圧搾溝１１、１１に加え、この一対の第１圧搾溝１１、１１の内側に、中心線ＣＬを対称軸として線対称である一対の第２圧搾溝２１、２１が設けられている。この第２圧搾溝２１、２１は、前後方向に延びる一対の仮想曲線Ｙ上に形成されている。この一対の仮想曲線Ｙは、円弧の一部であってよい。さらに、一対の仮想曲線Ｙが、一対の第１圧搾溝１１、１１と同様に幅方向内側に凹状に湾曲していると、装着時に両脚（両腿）の丸みに沿って自然に吸収性物品１を変形させることができるので、好ましい。仮想曲線Ｙの湾曲の度合いは、第１圧搾溝１１、１１の凹状の湾曲の度合いと同じにしてもよいし、異ならせてもよい。
【００４５】
一対の第２圧搾溝２１、２１はそれぞれ、前部分２１ａと後部分２１ｂとを有している。図１の形態では、前部分２１ａ及び後部分２１ｂはそれぞれ、中心線ＣＬと直交し且つ一対の第１圧搾溝１１、１１間の距離が最小となる位置を通る第１仮想線Ｘ１より、前方及び後方に形成されている。また、第１仮想線Ｘ１から前方に離れ且つ第１仮想線Ｘ１に平行な線を仮想線Ｘ２とし、第１仮想線Ｘ１から後方に離れ且つ第１仮想線Ｘ１に平行な線を仮想線Ｘ３とした場合、第２仮想線Ｘ２前部分２１ａの後端及び後部分２１ｂの前端はそれぞれ、第２仮想線Ｘ２及び第３仮想線Ｘ３で終端している。すなわち、前部分２１ａの後端及び後部分２１ｂの前端が、第２仮想線Ｘ２と第３仮想線Ｘ３との間の範囲に入らないよう形成され、互いに前後方向で離間している。ここで、第２仮想線Ｘ２と第３仮想線Ｘ３との距離は、２０〜８０ｍｍである。
【００４６】
上記構成により、第１圧搾溝１１、１１間の距離が最小となる位置の前後の所定の範囲にわたって、内側に第２圧搾溝２１、２１が存在しない領域を形成することができる。
【００４７】
以下、上記構成による効果について説明する。図２（Ａ）及び図２（Ｂ）に、図１のＩ−Ｉ線で切った断面図、すなわち第２仮想線Ｘ２と第３仮想線Ｘ３との間の範囲外における位置で切った模式的な断面図を示す。図２（Ａ）は、吸収性物品１の装着前の状態での断面図であり、図２（Ｂ）は、吸収性物品１を装着した状態での断面図である。図２（Ａ）に示すように、装着前の状態では、吸収性物品１は、全体として平面状になっている。これに対し、装着時には、図２（Ｂ）に示すように、両脚からの力Ｆを両側部に受けると、吸収性物品１の中央が盛り上がる。この場合、盛り上がりの主たる起点は、内側に形成された第２圧搾溝２１、２１となる。
【００４８】
一方、図３（Ａ）及び図３（Ｂ）に、図１のＩＩ−ＩＩ線で切った模式的な断面図、すなわち第２仮想線Ｘ２と第３仮想線Ｘ３との範囲内における位置で切った模式的な断面図を示す。図３（Ａ）は、装着前の状態での断面図であり、図３（Ｂ）は、吸収性物品１を装着した状態での断面図である。吸収性物品１は、装着前では、図３（Ａ）に示すように全体として平面状になっているが、装着時には、図３（Ｂ）に示すように両脚からの力Ｆを両側部に受け、吸収性物品１の中央が盛り上がる。図３（Ｂ）に示す断面図の位置では、第２圧搾溝２１、２１が存在しないので、盛り上がりの主たる起点は、第１圧搾溝１１、１１となる。
【００４９】
第２仮想線Ｘ２と第３仮想線Ｘ３との間の範囲外での位置（図２（Ｂ））と、第２仮想線Ｘ２と第３仮想線Ｘ３との間の範囲内での位置（図３（Ｂ））とで比較すると、装着時の吸収体４の盛り上がりの主たる起点間の幅は、後者の方がより大きい。そのため、第２仮想線Ｘ２と第３仮想線Ｘ３との間の範囲内での位置（図３（Ｂ））においては、その前後の、第２仮想線Ｘ２と第３仮想線Ｘ３との間の範囲外での位置（図２（Ｂ））と比較して、吸収体４を吸収性物品１の厚み方向により高く盛り上げることができる。
【００５０】
上記の点は、図１の中心線ＣＬで切った模式的な断面図を示す図４を参照して、さらに詳説することができる。図４に示すように、装着時に吸収体４が盛り上がる高さは、第２仮想線Ｘ２と第３仮想線Ｘ３との間の範囲内と、第２仮想線Ｘ２と第３仮想線Ｘ３との範囲外とで異なる。すなわち、装着時には、吸収体４は、前後方向で見て中央の部分が盛り上がるが、第２仮想線Ｘ２と第３仮想線Ｘ３との間の範囲内で最も高く盛り上がる。
【００５１】
このように、第２仮想線Ｘ２と第３仮想線Ｘ３との間の範囲内において吸収体４を高く盛り上がらせることができるので、この高く盛り上がった部分を、最も吸収体４を密着させたい体液排出口、例えば膣口の窪みに対応させることができる。これにより、吸収性物品１を身体の形状に合わせてより密にフィットさせることができ、より確実に体液を捕捉することが可能となる。
【００５２】
また、圧搾溝が形成された箇所及びその周囲の吸収体は、圧密されており、比較的硬くなる傾向がある。そのため、第１圧搾溝の内側において、第２圧搾溝が仮想線Ｙに沿って連続して形成されていた場合には、二重の圧搾溝が体液排出口対応領域３０又はその近くを通って前後方向に延在することとなる。その場合には、吸収体の柔軟性が低下した（硬くなった）部分が、体液排出口及びその近傍の皮膚に当たりやすい。そして、体液排出口及びその近傍の皮膚は特に柔らかくデリケートであるので、柔軟性が低い部分が当たると違和感を生じやすい。
【００５３】
これに対し、図１の形態では、第２圧搾溝２１の前部分２１ａの後端は第２仮想線Ｘ２で終端し、第２圧搾溝２１の後部分２１ｂの前端は第３仮想線Ｘ３で終端しており、第２仮想線Ｘ２と第３仮想線Ｘ３との間の範囲内に第２圧搾溝２１、２１が存在していない領域ができる。そのため、体液排出口及びその近傍の領域の皮膚に、圧搾溝によって硬くなった吸収体４の部分が当たることを防止でき、その結果、より快適な装用感を得ることができる。
【００５４】
第２仮想線Ｘ２と第３仮想線Ｘ３との距離は、図１の形態（一対の第１圧搾溝１１、１１間の距離が最小となる位置が体液排出口対応領域３０の付近にある形態）では、２０〜５０ｍｍであると好ましく、２５〜４０ｍｍであるとより好ましい。上記範囲とすることで、最も高く盛り上がった部分を、膣口等の体液排出口の窪みにより密にフィットさせることができる。
【００５５】
第１仮想線Ｘ１と第２仮想線Ｘ２との距離と、第１仮想線Ｘ１と第３仮想線Ｘ３との距離との比は、吸収性物品１の用途や吸収体４の材質や圧搾溝の配置に応じて等しくてもよいし、異ならせてもよい。例えば、（第１仮想線Ｘ１と第２仮想線Ｘ２との距離）：（第１仮想線Ｘ１と第３仮想線Ｘ３との距離）＝１：３〜３：１とすると好ましく、１：２〜２：１とするとより好ましい。また、上記比は１：１であると好ましい。このような比とすることで、第１圧搾溝１１、１１間の幅方向の距離が最小となる位置、すなわち両脚の圧縮力を受けて吸収体４が最も盛り上がりやすい位置の前後でバランス良く吸収体４を盛り上げることができる。
【００５６】
第１仮想線Ｘ１と第２仮想線Ｘ２との距離及び／又は第１仮想線Ｘ１と第３仮想線Ｘ３との距離は、５〜６０ｍｍとすることができ、７〜５４ｍｍとすることができ、また１０〜４０ｍｍとすることができる。図１の形態のように、一対の第１圧搾溝１１、１１間の距離が最小となる位置が体液排出口対応領域３０の付近にある場合には、上記距離は、５〜４５ｍｍとすることができ、７〜３５ｍｍとすることができ、１０〜２５ｍｍであると好ましい。
【００５７】
本形態の吸収性物品１では、前方及び後方にそれぞれ、幅方向に延びる前方圧搾溝１３及び後方圧搾溝１５が形成されていてよい。前方圧搾溝１３及び後方圧溝１５が形成されていることで、それぞれ前方及び後方における体液の移行を制御することができ、前方及び後方への体液の漏れを防ぐことができる。
【００５８】
上記前方圧搾溝１３は、第１圧搾溝１１、１１の各前端に連結されていてよい。また、上記後方圧搾溝１５は、第１圧搾溝１１、１１の各後端に連結されていてよい。さらに、第１圧搾溝１１、１１、前方圧搾溝１３、及び後方圧搾溝１５が連結されることによって、環状の圧搾溝が形成されていてよい。外側の圧搾溝が連続する環状になっていることで、吸収性物品１の全方向への体液の移行を制御し、漏れを防止することができる。
【００５９】
また、図示の形態では、上記第２圧搾溝２１の前部分２１ａの前端及び後部分２１ｂの後端は、いずれも領域Ｍ内において終端しているが、第２圧搾溝２１の前部分２１ａの前端及び後部分２１ｂの後端は、領域Ｍを越えて延びていてよい。例えば、第２圧搾溝２１の前部分２１ａの前端は、前方にさらに延び、前方圧搾溝１３と連結していてよい。また、第２圧搾溝２１の前部分２１ａの前端は、前方に延びつつ幅方向外側に湾曲して、第１圧搾溝１１と連結していてもよい。同様に、第２圧搾溝２１の後部分２１ｂの後端は、後方にさらに延び、後方圧搾溝１５と連結していてよい。また、第２圧搾溝２１の後部分２１ｂの後端は、後方に延びつつ幅方向外側に湾曲して、第１圧搾溝１１と連結していてもよい。このように、第２圧搾溝２１の前部分２１ａの前端が前方圧搾溝１３又は第１圧搾溝１１と連結し、且つ／又は第２圧搾溝２１の後部分２１ｂの後端が後方圧搾溝１５又は第１圧搾溝１１と連結している場合には、吸収性物品１の前方及び／又は後方において、本体８を盛り上げる効果をより確実に得ることができる。
【００６０】
図５に、本発明の別の形態による吸収性物品５０１を示す。図５に示す形態は、第２圧搾溝５２１、５２１の形状以外は、図１に示す吸収性物品１と同じ構成を有している。すなわち、吸収性物品５０１は、表面シート５０３と、裏面シートと、その間に設けられた吸収体とを有する本体５０８を備え、表面シート５０３側から裏面シート側に窪む圧搾溝が形成されている。圧搾溝には、平面視で、幅方向内側に凹状に湾曲して前後方向に延びる一対の第１圧搾溝５１１、５１１が含まれる。
【００６１】
図５に示す形態においても、図１に示す形態と同様、一対の第１圧搾溝５１１、５１１の内側に一対の第２圧搾溝５２１、５２１が形成されており、各第２圧搾溝５２１は、前部分５２１ａ及び後部分５２１ｂを有している。また、この前部分５２１ａ及び後部分５２１ｂはそれぞれ、中心線ＣＬと直交し且つ一対の第１圧搾溝５１１、５１１間の距離が最小となる位置を通る第１仮想線Ｘ１の前方及び後方に形成されている。
【００６２】
しかしながら、図５の形態は、一対の第２圧搾溝５２１、５２１の形状が異なる点で、図１の形態と相違している。すなわち、第２圧搾２１、２１の全てが仮想曲線Ｙ上にある図１の形態とは異なり、第２圧搾溝５２１、５２１は、仮想曲線Ｙ上にある部分と、仮想曲線Ｙ上にない部分（後述の第２仮想線Ｘ２又は第３仮想線Ｘ３を越えた部分）とを含む。具体的には、前部分５２１ａ及び後部分５２１ｂはそれぞれ、仮想曲線Ｙと第２仮想線Ｘ２との交点及び仮想曲線Ｙと第３仮想線Ｘ３との交点上で変曲して、仮想曲線Ｙから逸脱している。
【００６３】
前部分５２１ａの第２仮想線Ｘ２を後方に越えた部分５２１ａ´、及び後部分５２１ｂの第３仮想線Ｘ３を前方に越えた部分５２１ｂ´はそれぞれ、前部分５２１ａの変曲点及び後部分５２１ｂの変曲点から、幅方向外側に湾曲して、第１圧搾溝５１１、５１１における第１圧搾溝５１１、５１１間の距離が最小となる位置に向かって延伸している。なお、この第１圧搾溝５１１、５１１間の距離が最小となる位置は、第１圧搾溝５１１、５１１が第１仮想線Ｘ１と交わる位置であり、具体的には、第１圧搾溝５１１、５１１の長手方向の中心線（溝５１１の幅の中点を通る、溝５１１の長手方向に沿った線）と第１仮想線Ｘ１との交点Ｐである。
【００６４】
このような第２圧搾溝５２１、５２１の構成によって、第２圧搾溝５２１、５２１間の距離が拡大した領域が形成される。そのため、本体５０８が両脚からの圧縮力を受けたとき、第２圧搾溝５２１、５２１間の距離が拡大した領域において吸収体が盛り上がる高さを、その前後の領域と比較して高くすることができる。これにより、身体の窪みに吸収体をより密に密着させることが可能となり、体液の捕捉をより確実にすることができる。この効果は、図１〜図４を参照して詳説した通りである。
【００６５】
また、体液排出口対応領域５３０の近傍において圧搾溝が密集していないため、吸収体の柔軟性の低下を防ぐことができるので、柔軟性が低下した吸収体の部分が、デリケートな身体の窪み付近の皮膚に当たって生じる違和感を防ぐことができ、装用感を向上させることができる。この点も、図１の形態と同様である。
【００６６】
図５の形態では、前部分５２１ａの第２仮想線Ｘ２を後方に越えた部分５２１ａ´及び後部分５２１ｂの第３仮想線Ｘ３を前方に越えた部分５２１ｂ´の長さは、それぞれ前部分５２１ａ及び後部分５２１ｂの長さに比べて、約８分の１である。しかし、前部分５２１ａの第２仮想線Ｘ２を越えた部分５２１ａ´及び後部分５２１ｂの第３仮想線Ｘ３を越えた部分５２１ｂ´の長さは、第１仮想線Ｘ１を越えなければ、特に限定されない。
【００６７】
図６に、さらに別の形態による吸収性物品６０１を示す。図６に示す形態は、第２圧搾溝６２１、６２１の形状以外は、図１示す吸収性物品１又は図５に示す吸収性物品５０１と同じ構成を有している。すなわち、吸収性物品６０１は、表面シート６０３と、裏面シートと、その間に設けられた吸収体とを有する本体６０８を備え、表面シート６０３側から裏面シート側に窪む圧搾溝が形成されている。圧搾溝には、平面視で、幅方向内側に凹状に湾曲して前後方向に延びる一対の第１圧搾溝６１１、６１１が含まれる。
【００６８】
また、一対の第１圧搾溝６１１、６１１の内側に一対の第２圧搾溝６２１、６２１が形成されており、各第２圧搾溝６２１は、第１仮想線（中心線ＣＬと直交し且つ一対の第１圧搾溝６１１、６１１間の距離が最小となる位置を通る仮想線）Ｘ１の前方及び後方に形成された前部分６２１ａ及び後部分６２１ｂを有している。
【００６９】
図５に示す形態と同様、一対の第２圧搾溝６２１、６２１は、第２圧搾６２１、６２１の全てが仮想曲線Ｙ上にあるのではなく、仮想曲線Ｙ上にある部分と、仮想曲線Ｙ上にない部分（後述の第２仮想線Ｘ２又は第３仮想線Ｘ３を越えた部分）とを含む。具体的には、前部分６２１ａ及び後部分６２１ｂはそれぞれ、仮想曲線Ｙと第２仮想線Ｘ２との交点及び仮想曲線Ｙと第３仮想線Ｘ３との交点上で変曲して、仮想曲線Ｙから逸脱している。
【００７０】
そして、前部分６２１ａの第２仮想線Ｘ２を後方に越えた部分６２１ａ´及び後部分６２１ｂの第３仮想線Ｘ３を前方に越えた部分６２１ｂ´はそれぞれ、前部分６２１ａの変曲点及び後部分６２１ｂの変曲点から、幅方向外側に湾曲して、第１圧搾溝６１１、６１１における第１圧搾溝６１１、６１１間の距離が最小となる位置に向かって延伸している。この第１圧搾溝６１１、６１１間の距離が最小となる位置は、第１圧搾溝６１１、６１１が第１仮想線Ｘ１と交わる位置であり、具体的には、第１圧搾溝６１１、６１１の長手方向の中心線と第１仮想線Ｘ１との交点Ｐである。
【００７１】
図６に示す形態では、前部分６２１ａの第２仮想線Ｘ２を後方に越えた部分６２１ａ´及び後部分６２１ｂの第３仮想線Ｘ３を前方に越えた部分６２１ｂ´の長さが、図５に示す形態と比較してより長くなっており、第１圧搾溝６１１、６１１上の第１圧搾溝６１１、６１１間の距離が最小となる位置（交点Ｐ）まで延びている。
【００７２】
このように、前部分６２１ａ及び後部分６２１ｂが、湾曲しながら上記交点Ｐまで延びていることで、第２仮想線Ｘ２と第３仮想線Ｘ３との間の範囲内において、前後方向からも吸収体を高く盛り上げる起点を作ることができる。これにより、第２仮想線Ｘ２と第３仮想線Ｘ３との間の範囲内で、第２圧搾溝６２１、６２１間の距離が拡大した領域を、より確実に盛り上げることができる。
【００７３】
また、前部分６２１ａの第２仮想線Ｘ２を後方に越えた部分６２１ａ´及び後部分６２１ｂの第３仮想線Ｘ３を前方に越えた部分６２１ｂ´の湾曲方向は、幅方向外側になっているので、体液排出口対応領域６３０付近に圧搾溝が密集することを防ぎ、体液排出口及びその近傍の皮膚に、柔軟性が低下した本体６０８が当たるのを防ぐことができる。
【００７４】
図６の形態では、第２圧搾溝６２１の前部分６２１ａと後部分６２１ｂとは、交点Ｐにおいて連結しているが、前部分６２１ａと後部分６２１ｂとは、互いに連結していなくともよい。しかし、第２圧搾溝６２１の前部分６２１ａと後部分６２１ｂとが、第１圧搾溝６１１上で連結していることで、第１圧搾溝１１、１１近くの吸収体の剛性を高めることができ、吸収体をより確実に盛り上げることができ、また盛り上げた形状を良好に保持することもできる。
【００７５】
図７に、別の形態による吸収性物品７０１を示す。吸収性物品７０１は、図１、図５及び図６に示す形態に比べ、全長が長く、特に、後方領域Ｒの長さが長いものである。吸収性物品７０１は、いわゆる夜用又は長時間用として使用されるものである。
【００７６】
吸収性物品７０１は、上述の形態と同様、表面シート７０３と、裏面シートと、その間に設けられた吸収体とを有する本体７０８を備え、表面シート７０３側から裏面シート側に窪む圧搾溝が形成されている。圧搾溝には、幅方向内側に凹状に湾曲して前後方向に延びる一対の第１圧搾溝７１１、７１１が含まれる。また、一対の第１圧搾溝７１１、７１１の内側に一対の第２圧搾溝７２１、７２１が形成されており、各第２圧搾溝７２１は、第１仮想線（中心線ＣＬと直交し且つ一対の第１圧搾溝７１１、７１１間の距離が最小となる位置を通る仮想線）Ｘ１の前方及び後方に形成された前部分７２１ａ及び後部分７２１ｂを有している。
【００７７】
第２圧搾７２１、７２１は、図１の形態と同様、前後方向に延びる一対の仮想曲線Ｙ上に形成されている。さらに、前部分７２１ａの後端及び後部分７２１ｂの前端が、それぞれ第２仮想線Ｘ２及び第３仮想線Ｘ３で終端し、互いに前後方向で離間している。よって、第１圧搾溝７１１、７１１間の距離が最小となる位置の前後の所定の範囲にわたって、内側に第２圧搾溝７２１、７２１が存在しない領域が形成されている。
【００７８】
上記構成により、第２仮想線Ｘ２と第３仮想線Ｘ３との間の範囲内での位置において、その前後の、第２仮想線Ｘ２と第３仮想線Ｘ３との間の範囲外での位置と比較して、吸収体を吸収性物品７０１の厚み方向により高く盛り上げることができる。このような効果については、図１〜図４を参照して説明した通りである。
【００７９】
図７の形態においては、第１仮想線Ｘ１が、図１の形態とは異なり、後方領域Ｒに位置している。すなわち、一対の第１圧搾溝７１１、７１１間の距離が最小となる位置がより後方になっている。この位置の前後にわたる所定の領域は、吸収性物品７０１の装着時には、臀部の割れ目に入り込むよう身体に当てられる。
【００８０】
吸収性物品７０１においては、幅方向内側に凹状に湾曲して前後方向に延びる一対の第１圧搾溝７１１、７１１があることで、装着時に吸収性物品７０１の側部が容易に折れ曲がり、第１圧搾溝７１１、７１１間の領域を盛り上げることができるので、本体７０８が臀部の割れ目に入り込み、フィット性を高めることができる。しかしながら、吸収体の盛り上がった高さが前後方向で均一であると、臀部の割れ目における前後方向の丸み沿って吸収体をフィットさせることができずに隙間が生じ、漏れを十分に防止できない場合がある。
【００８１】
これに対し、第２圧搾溝７２１、７２１の上述の構成により、第２仮想線Ｘ２と第３仮想線Ｘ３との間の範囲内において吸収体を最も高く盛り上げることができ、臀部の割れ目の深い場所まで密着させることができる。そのため、吸収性物品７０１の後方でのフィット性を高め、後方での漏れを良好に防ぐことができる。
【００８２】
図７の形態では、第２仮想線Ｘ２と第３仮想線Ｘ３との距離は２５〜５０ｍｍであると好ましい。上記範囲とすることで、最も高く盛り上がった部分が臀部の割れ目の奥まで良好にフィットさせることができる。
【００８３】
図１、図５及び図６の形態と同様に、第１仮想線Ｘ１と第２仮想線Ｘ２との距離と、第１仮想線Ｘ１と第３仮想線Ｘ３との距離との比は、１：３〜３：１とすると好ましく、１：２〜２：１とするとより好ましい。また、上記比は１：１であると好ましい。また、第１仮想線Ｘ１と第２仮想線Ｘ２との距離は、５〜６０ｍｍとすることができ、７〜５４ｍｍとすることができ、また２０〜４０ｍｍとすることができる。
【００８４】
図７の形態では、前方及び後方にそれぞれ、幅方向に延びる前方圧搾溝７２３及び後方圧搾溝７２５が形成されていてよい。前方圧搾溝７２３及び後方圧溝７２５が形成されていることで、それぞれ前方及び後方における体液の移行を制御することができ、前方及び後方への体液の漏れを防ぐことができる。
【００８５】
上記前方圧搾溝７２３は、第２圧搾溝７２１、７２１の各前端に連結されていてよい。また、上記後方圧搾溝７２５は、第２圧搾溝７２１、７２１の各後端に連結されていてよい。内側の圧搾溝が、前方及び後方において連続している、吸収性物品７０１の斜め前方及び斜め後方への体液の移行を制御し、漏れ防止の効果を高めることができる。
【符号の説明】
【００８６】
１、５０１、６０１、７０１  吸収性物品
２  裏面シート
３、５０３、６０３、７０３  表面シート
４  吸収体
５  被包シート
７、５０７、６０７、７０７  サイド不織布
８、５０８、６０８、７０８  本体（吸収性物品本体）
１１、５１１、６１１、７１１  第１圧搾溝（外側の前後方向圧搾溝）
１３、５１３、６１３、７１３  前方圧搾溝（外側の前方圧搾溝）
１５、５１５、６１５、７１５  後方圧搾溝（外側の後方圧搾溝）
２１、５２１、６２１、７２１  第２圧搾溝（内側の前後方向圧搾溝）
２１ａ、５２１ａ、６２１ａ、７２１ａ  第２圧搾溝の前部分
２１ｂ、５２１ｂ、６２１ｂ、７２１ｂ  第２圧搾溝の後部分
５２１ａ´、６２１ａ´  第２圧搾溝の前部分の第２仮想線Ｘ２を越えた部分
５２１ｂ´、６２１ｂ´  第２圧搾溝の後部分の第３仮想線Ｘ３を越えた部分
７２３  前方圧搾溝（内側の前方圧搾溝）
７２５  後方圧搾溝（内側の後方圧搾溝）
ＣＬ  前後方向中心線
Ｐ  第１仮想線Ｘ１と第１圧搾溝の長手方向の中心線との交点
ＷＧ  ウィング
Ｘ１  第１仮想線
Ｘ２  第２仮想線
Ｘ３  第３仮想線
Ｙ  仮想曲線
【図１】
2018143723.tif 000003
【図２Ａ】
2018143723.tif 000004
【図２Ｂ】
2018143723.tif 000005
【図３Ａ】
2018143723.tif 000006
【図３Ｂ】
2018143723.tif 000007
【図４】
2018143723.tif 000008
【図５】
2018143723.tif 000009
【図６】
2018143723.tif 000010
【図７】
2018143723.tif 000011